(57)【特許請求の範囲】
【請求項１】
座面を支持する複数個の流体袋を座面下に配し、一の流体袋と他の流体袋とを連通しており、
座面を介して流体袋に加わる圧力の差圧が同一である条件下で、前後の流体袋間で流動する流体の単位時間当たりの流量が、左右の流体袋間で流動する流体の単位時間当たりの流量よりも大きいことを特徴とする椅子の座。
【請求項２】
前記複数の流体袋を、前記座面の四隅を支持し得るように配置している請求項１記載の椅子の座。
【請求項３】
複数個の流体袋同士を連通する流路を有するとともに、前後の流体袋間に設けた前後間流路の最も狭い部分の総断面積を、左右の流体袋間に設けた左右間流路の最も狭い部分の総断面積よりも大きく設定している請求項１又は２記載の椅子の座。
【請求項４】
前記流体の移動を制御し得る流体制御弁をさらに設けたものとしている請求項１、２又は３記載の椅子の座。
【請求項５】
前記流体を空気とし、前記流体袋の内部を外部へ選択的に連通させ得る外部連通部を更に設けたものとしている請求項１、２、３又は４記載の椅子の座。
【請求項６】
前記外部連通部に、外部の空気を吸入し得る吸入ポンプを設けている請求項５記載の椅子の座。
【請求項７】
流体袋を、座板の下方に配置され前記流体の移動に伴い上下方向に伸縮し得る伸縮部材としている１、２、３、４、５又は６記載の椅子の座。
【請求項８】
前記流体袋の形状を所定形状に復帰させ得る形状復帰手段をさらに有したものとしている請求項１、２、３、４、５、６又は７記載の椅子の座。
【請求項９】
背側にさらに背側流体袋を有するとともに、前記流体袋と、背側流体袋とを連通する背座連通流路をさらに有するものとしている請求項１、２、３、４、５、６、７又は８記載の椅子の座。
【発明の詳細な説明】
【技術分野】
【０００１】
本発明は、着座者の姿勢に追随して形状を変化させ得る椅子の座に関するものである。
【背景技術】
【０００２】
従来、椅子、特に事務用の椅子において、フレームの位置や向きを調整することにより、着座者を快適な姿勢とすることができる椅子が提案されている（例えば、特許文献１参照）。
【０００３】
上述した特許文献に記載のものは、背凭れ面の角度に応じて、座面を前後動させ得るものとなっている。斯かる構成の椅子は、使用者に対して、それぞれの着座姿勢に応じて快適な着座感を与え得る椅子の座を実現したものとなっている。
【特許文献１】特開２００２−１１９３６３号公報
【発明の開示】
【発明が解決しようとする課題】
【０００４】
ここで本願の発明者らは、使用者にとっての椅子の座の座り心地についてさらに検討を試みた結果、座面上において、実際には着座時にも使用者は様々な動作をしているという事に着目するに至った。すなわち、使用者にとっての椅子の座の座り心地について追求するのであれば、斯かる使用者の動作を考慮に入れて座り心地を考えることも必要ということができる。
【０００５】
すなわち、座り心地の良い座を提供するということは、予め設定した座面の位置や角度について考慮するのみならず、着座中の使用者の動作を行なった際に対しても着目することも必要であると考える事ができる。
【０００６】
そこで本発明は、使用者の着座中の動作にも着目した上で、快適な使用感を与え得る椅子の座を提供するものである。
【課題を解決するための手段】
【０００７】
本発明は、このような目的を達成するために、次のような手段を講じたものである。すなわち、本発明に係る椅子の座は、座面を支持する複数個の流体袋を座面下に配し、一の流体袋と他の流体袋とを連通しており、座面を介して流体袋に加わる圧力の差圧が同一である条件下で、前後の流体袋間で流動する流体の単位時間当たりの流量が、左右の流体袋間で流動する流体の単位時間当たりの流量よりも大きいことを特徴とする。
【０００８】
すなわち、本願発明は、当該本願発明の発明者らが、使用者の着座中の動作をも鑑みて着座者の座り心地について考慮した結果、座面上部における着座者の動作は前後に体重移動する動作の方が、幅方向に体重移動する動作よりも頻度が高く且つ動作範囲も大きいことに初めて想到し得たことによるものである。そして、斯かる構成により、座面の前傾／後傾に対する応答性を比較的早く、左傾／右傾に対する応答性を比較的遅くすることが快適さの実現に奏効するものとなる。
【０００９】
そして、座面の前傾／後傾並びに左傾／右傾を好適に行なわせる為には、複数の流体袋を、座面の四隅を支持し得るように配置しているものとすればよい。但し、流体袋の個数は、四個に限定されるものではない。
【００１０】
そして、座面の前傾／後傾及び左傾／右傾に係る流体の単位時間当りの流量に差を設けるための単純且つ具体的な構成として、複数個の流体袋同士を連通する流路を有するとともに、前後の流体袋間に設けた前後間流路の最も狭い部分の総断面積を、左右の流体袋間に設けた左右間流路の最も狭い部分の総断面積よりも大きく設定したものとすればよい。
【００１１】
そして、座面の形状を保持させる態様を別途選択したり、或いは、座面の前傾／後傾並びに左傾／右傾に応答するスピードを調整し得る構成とするためには、流体の移動を制御し得る流体制御弁をさらに設けたものとすることが望ましい。ここで流体の「制御」とは、流体の流れを遮断する態様や、流体の移動速度を変化させる態様、さらには、流体の移動方向を限定する態様など、既存の流体制御弁が行ない得る全ての態様を含むものとする。
【００１２】
そして、流体を空気としている場合には、流体袋の内部を外部へ、例えばＯＮ／ＯＦＦ操作により選択的に連通させ得る外部連通部を更に設けたものとすれば、流体袋に含まれる流体量を所望の量に調節することができる。また、流体袋に含まれる流体量を、単純な構成によって且つ好適に所望の量に調節するためには外部連通部に、外部の空気を吸入し得る吸入ポンプを設けたものとすればよい。
【００１３】
他方、座面を前傾／後傾及び左傾／右傾させるための構成の一つとして、流体袋を、座板の下方に配置され前記流体の移動に伴い上下方向に伸縮し得る伸縮部材としているものを挙げることができる。
【００１４】
また、座の形状を経時的な使用に際しても安定して保持するためには、前記流体袋の形状を所定形状に復帰させ得る形状復帰手段をさら設けたものとすればよい。
【００１５】
そして、座面上の使用者の動作による流体の動作を利用して使用者の背凭れをも含めた着座感をより向上させ得る構成として、背側にさらに背側流体袋を有するとともに、前記流体袋と、背側流体袋とを連通する背座連通流路をさらに有するものを挙げることができる。
【発明の効果】
【００１６】
本願発明よれば、座面の前傾／後傾に対する応答性を比較的早く、左傾／右傾に対する応答性を比較的遅くすることで、着座時のさらなる快適さの実現に奏効するものとなっている。すなわち当該発明は、当該本願発明の発明者らが、使用者の着座中の動作をも鑑みて着座者の座り心地について考慮した結果、座面上部における着座者の動作は前後に体重移動する動作の方が、幅方向に体重移動する動作よりも頻度が高く且つ動作範囲も大きいことに初めて想到し得たことによってなされたものである。
【発明を実施するための最良の形態】
【００１７】
以下、本発明の一実施の形態について図面を参照して説明する。
【００１８】
本実施形態に係る椅子Ａを図１及び図２に示す。なお同図においては、後に詳述する流路部３、流体制御弁４並びに外部連通部５に係る図示を省略している。
【００１９】
椅子Ａは、同図に示すように、座フレームＳＦ及び背フレームＢＦに座Ｓ及び背凭れＢをそれぞれ支持させるとともに、図示しない調整機構により座Ｓが座フレームＳＦに対して、前後方向に、背フレームＢＦに対して背凭れＢが上下方向にスライドし得るものとなっている。
【００２０】
座Ｓは、図１及び図２に示すように、座面ｓｓを構成するとともに座フレームＳＦに取り付けられる座本体Ｓ１と、当該座本体Ｓ１に内蔵される後に詳述する座側流体袋１とを少なくとも有している。そして本実施形態では、座面ｓｓを介して座側流体袋１を構成する後述する各流体袋に加わる圧力の差圧が同一となるように構成している。換言すれば、座面ｓｓに加えられた着座時の圧力は座側流体袋１にすれぞれ同じ条件で伝えられるように構成している。
【００２１】
背凭れＢは、本実施形態では例えば２本の背フレームＢＦの延伸方向に沿ってそれぞれ上下方向にスライドし得るものとなっている。そして、背凭れＢは同図に示すように、背凭れ面ｂｓを構成し着座者の腰よりも上部である背上部及び腰部を支持し得る背凭れ本体Ｂ１と、図２に示すように当該背凭れ本体Ｂ１に内蔵される後に詳述する背側流体袋２と、着座者の頭部を支持し得るヘッドレストＢ２とを少なくとも有しているものである。
【００２２】
ここで、本実施形態に係る椅子Ａの座Ｓは、座面ｓｓを支持する複数個の流体袋を有する座側流体袋１を座面ｓｓ下に配し、各流体袋を流路たる座側流路３１に連通したものとしている。そして、前後の流体袋間で流動する流体の単位時間当たりの流量を、左右の流体袋間で流動する流体の単位時間当たりの流量よりも大きく設定していることを特徴としている。なお本実施形態では流体の一例として、空気を適用したものとしている。
【００２３】
以下、当該椅子Ａにおける座側流体袋１、背側流体袋２及び上述の座側流路３１を含む流路部３に係る各構成について詳述する。
【００２４】
本実施形態に係る椅子Ａは、上述の座側流体袋１、背側流体袋２を具備しているとともに、後述する背座連通流路３３、座側流体袋１間を連通する座側流路３１及び背側流体袋２間を連通する背側流路３２を有する流路部３と、流体の移動を制御し得る流体制御弁４と、流路を外部に連通させ得る外部連通部５を有している。
【００２５】
座側流体袋１は、図２及び図３に模式的に示すように、座Ｓの前側のおいて着座者の大腿部を支持し得る座前部流体袋たる前部流体袋１１と、着座者の主に臀部を支持し得る座後部流体袋たる後部流体袋１２とを有している。そして前部流体袋１１は左右に略対称に分割される前右袋１３と前左袋１４とを有している。後部流体袋１２においても左右に略対称に分割される後右袋１５と後左袋１６とを有し、それぞれ座面ｓｓの四隅を支持し得るように配置している。そしてこれら前右袋１３と前左袋１４、後右袋１５と後左袋１６とは後述する座側流路３１によって前後方向並びに左右方向に連通された状態となっている。そして、前部流体袋１１と、後述する腰後部流体袋２７とは、後述する背座連通流路３３によって連通されているが図３には斯かる背座連通流路３３の図示を省略して示している。
【００２６】
背側流体袋２は、図２、及び図４並びに図５に模式的に示すように、着座者の腰要理も上部を支持し得る背上部流体袋２１と、着座者の腰部を支持し得る背下部流体袋たる腰部流体袋２２とを有するものである。また背側流体袋２は、同図に示すように、背上部流体袋２１において背凭れ面ｂｓを介して着座者に接触し得る背上部接触面積たる肩部接触面積２ａを、腰部流体袋２２において着座者に接触し得る腰部接触面積２ｂよりも大きく設定したものとしている。
【００２７】
背上部流体袋２１は、幅方向に３つ、すなわち、着座者の右側を支持し得る右側流体袋２３と、着座者の脊椎上部を支持し得る中央流体袋２４と、着座者の左側を支持し得る左側流体袋２５とを有したものとなっている。そして当該左側流体袋２５、中央流体袋２４及び右側流体袋２３は、それぞれ後述する背側流路３２によって、腰部流体袋２２へ連通するものとしている。
【００２８】
腰部流体袋２２は、前後方向に２つ、すなわち、背凭れ面ｂｓ直下に位置付けた腰前部流体袋２６と、背フレームＢＦ側に位置付けるとともに収縮とともに背凭れ面ｂｓを腰前部流体袋２６ごと前後方向に移動させ得る腰後部流体袋２７とを有している。そして、腰前部流体袋２６は上述の通り、背側流路３２によって背上部流体袋２１に連通している。さらに、腰後部流体袋２７は、同図に示すように、後述する背座連通流路３３によって、前部流体袋１１に連通したものとなっている。
【００２９】
そして腰後部流体袋２７には、当該腰後部流体袋２７の収縮動作を前後動作に変換し得る動作変換部材たるガイド板Ｂ３を取り付けている。具体的には、ガイド板Ｂ３は本実施形態ではヒンジｈによって相対的に回動可能に接続された複数の板材によって構成されている。ガイド板Ｂ３は具体的には、腰前部流体袋２６を押圧し得る押圧板Ｂ３１と、押圧板Ｂ３１の上下にそれぞれ連結する上連結板Ｂ３２並びに下連結板Ｂ３３と、当該上連結板Ｂ３２並びに下連結板Ｂ３３にさらに連結して背フレームＢＦ側に取り付けられる上取付板Ｂ３４並びに下取付板Ｂ３５とを有している。そして本実施形態では、腰後部流体袋２７内の流体すなわち空気の増加に伴って下取付板Ｂ３５が背フレームＢＦに沿って上方向にスライド移動することにより、下連結板Ｂ３３の角度が図５に示した状態から水平に近づく方向に回転する。そして斯かる下連結板の回動に伴って、上連結板Ｂ３２を水平に近づ方向に回動させながら、押圧板Ｂ３１が垂直に起立した状態を維持しながら前方向に略平行に移動し得るものとなっている。
【００３０】
流路部３は、図３、図４並びに図５に模式的に示すように、座側流路３１と、背側流路３２と、背座連通流路３３とを有するものである。
【００３１】
座側流路３１は、図３に示すように、前右袋１３及び前左袋１４を連通する前側流路３１１と、後右袋１５及び後左袋１６を連通する後側流路３１２とを有することによって、流体をそれぞれ幅方向に移動し得るものとしている。そして前右袋１３及び後右袋１５を連通する右流路３１３と、前左袋１４と後左袋１６とを連通する左流路３１４とを有することによって、流体をそれぞれ前後方向に移動し得るものとしている。そして本実施形態では前側流路３１１及び後側流路３１２と、右流路３１３及び左流路３１４とを同径のパイプによって構成している。具体的には、同図に示すように、前側流路３１１及び後側流路３１２を１本のパイプにより構成しているのに対し、右流路３１３及び左流路３１４を２本のパイプにより構成している。また本実施形態では座側流路３１におけるそれぞれの流体の移動を、同図に模式的に示す第一制御弁４１並びに第一連通部５１を設けたものとしているが、斯かる図示は模式的なものであり、第一制御弁４１並びに第一連通部の取付位置を具体的に特定するものではない。
【００３２】
背側流路３２は、図４に示すように、それぞれの背上部流体袋２１、すなわち右側流体袋２３、中央流体袋２４及び左側流体袋２５と、腰前部流体袋２６とを連通し得るものとなっている。そして本実施形態では背側流路３２中に、後述する第二制御弁４２並びに第二連通部５２を設けたものとしているが、斯かる図示は模式的なものであり、第二制御弁４２並びに第二連通部５２の取付位置を具体的に特定するものではない。
【００３３】
背座連通流路３３は、図５に示すように、前部流体袋１１と、腰後部流体袋２７とを連通したものである。具体的には右前流体袋１３及び左前流体袋１４がそれぞれ腰後部流体袋２７に連通したものとなっているが、同図において当該図示を省略して示している。
【００３４】
流体制御弁４は、図３では想像線によって、図４及び図５では模式的に示すように、本実施形態では、座側流路３１及び背座連通流路３３における流体の流量を制御し得る第一制御弁４１と、背側流路３２における流体の流量を制御し得る第二制御弁４２とを有したものとしている。斯かる流体制御弁４の作用について説明すると、少なくとも流体の流れの遮断を行い得るものとしているが、他にも流量を制御する機能や、一方向の流体の流れのみを許容する機能を有するものであっても良く、既存の制御弁を採用することにより種々の態様を実現し得るものとなっているため、具体的な構成の説明を省略するものとする。また、流体制御弁４を設ける位置においても、本実施形態では模式的に図示したものとなっているが、具体的な椅子Ａの構成によって、種々の箇所に取り付け得るものである。
【００３５】
外部連通部５は、図３では想像線によって、図４及び図５では模式的に示すように、本実施形態では第一制御弁４１の位置に設けた第一連通部と、第二制御弁４２の位置に設けた第二連通部５２とを有している。斯かる第一連通部５１及び第二連通部５２は、それぞれ背側流体袋２及び／又は座側流体袋１の内部と外部とを選択的に連通させて、背側流体袋２又は座側流体袋１内の空気を外部へ放出させるか或いは外部の空気を内部へ案内し得る機能を有するものである。特に本実施形態では、第一連通部５１及び第二連通部５２に吸入ポンプ５３を併設することにより、外部の空気を所要量背側流体袋２又は座側流体袋１内に吸入させて、背側流体袋２又は座側流体袋１内の総空気量を増加させると同時に、例えば図示しないポンプバルブの開放操作によって、背側流体袋２又は座側流体袋１内の空気を簡便に外部へ放出させ得るものとしている。本実施形態では上述の通り、当該外部連通部５を流体制御弁４の位置に設けたものとしているが、外部連通部５を配置する位置などは図示の態様に限られる事はなく、例えば特定の流体袋に配する態様や特定の流路に配する態様など、種々の態様を採用することが可能である。
【００３６】
しかして本実施形態に係る椅子Ａは、座側流体袋１間、背側流体袋２間、そして座側流体袋１と背側流体袋２との間で流体を移動させることにより、座面ｓｓ又は背凭れ面ｂｓが変位するものとなっている。以下に座面ｓｓ並びに背凭れ面ｂｓの変形について、図３、図４及び図５を用いて詳述する。
【００３７】
図５に示すように、背座連通流路３３によって、着座時に前部流体袋１１に掛かった荷重が腰後部流体袋２７に移動することとなる。その時、腰後部流体袋２７が膨張することによって、ガイド板Ｂ３の下取付板Ｂ３５が背フレームＳＦに沿って上方へスライド移動するとともに、押圧板Ｂ３１が腰前部流体袋２６ごと、対応する背凭れ面ｂｓを隆起させることにより、着座者の腰部を押圧する。そうなると、着座者は着座動作とともに、上体を起立させた良好な着座姿勢を得ることが可能となる。
【００３８】
また、空気量を増減させる際には、外部連通部５によって、座側流体袋１または背側流体袋２の内外を連通させて空気を抜くことにより、背側流体袋２又は座側流体袋１を着座者の要望に合わせて柔らかく構成することも可能である。他方、吸入ポンプ５３によって背側流体袋２又は座側流体袋１に空気を吸入することにより、背側流体袋２又は座側流体袋１を着座者の要望に合わせて硬く構成することも可能である。
【００３９】
ここで、本実施形態に係る椅子Ａの座Ｓは、前後の流体袋間で流動する流体の単位時間当たりの流量が、左右の流体袋間で流動する流体の単位時間当たりの流量よりも大きいものとしている。斯かる座側流体袋１並びに座側流路３１の構成について、以下に詳述する。
【００４０】
図３に示すように、座側流路３１ついては、上述の通り、前側流路３１１及び後側流路３１２を１本のパイプにより構成しているのに対し、右流路３１３及び左流路３１４を２本のパイプにより構成している。そうすることにより、座側流体袋１において、幅方向に流体が移動する流量よりも前後方向に流体が移動する流量の方が大きく構成したものとなっており、着座者の前後方向の体重移動に対して、より早く反応して流体が移動し得るものとなっている。
【００４１】
以上のような構成とすることにより、本実施形態に係る椅子Ａの座Ｓは、前後に体重移動する動作の方が、幅方向に体重移動する動作よりも頻度が高く且つ動作範囲も大きいという、座面上部における着座者の動作に対し、好適に対応し得たものとなっている。すなわち、座面ｓｓの前傾／後傾に対する応答性を比較的早く、左傾／右傾に対する応答性を比較的遅くすることにより、着座者の座り心地にこれまでにない快適さをもたらし得るものとなっている。
【００４２】
また、複数の流体袋たる座側流体袋１における前右袋１３、前左袋１４、後右袋１５及び後左袋１６を、座面の四隅を支持し得るように配置することによって、座面の前傾／後傾並びに左傾／右傾を好適に行なわせ得るものとなっている。
【００４３】
また、本実施形態では、前右袋１３、前左袋１４、後右袋１５及び後左袋１６を連通する流路たる座側流路３１を設け、前後の流体袋間に設けた前後間流路たる右流路３１３並びに左流路３１４の最も狭い部分の総断面積を、左右の流体袋間に設けた左右間流路たる前側流路３１１並びに後側流路３１２の最も狭い部分の総断面積よりも大きく設定することにより、単純且つ具体的な構成によって座面の前傾／後傾及び左傾／右傾に係る流体の単位時間当りの流量に差を設けることを実現している。
【００４４】
そして本実施形態では、流体制御弁４をさらに設けることにより、座面ｓｓの形状を保持させる態様を別途選択したり、或いは、座面ｓｓの前傾／後傾並びに左傾／右傾に応答するスピードを所望のスピードに調整し得るものとなっている。
【００４５】
さらに本実施形態では、流体を空気とし、座側流体袋１の内部を外部へ連通させ得る外部連通部５を更に設けたものとして、座側流体袋１に含まれる流体量を所望の量に調節し得るものとしている。特に外部の空気を吸入し得る吸入ポンプ５３を設けることによって、流体袋に含まれる流体量を、単純な構成によって且つ好適に所望の量に調節し得るものとしている。
【００４６】
加えて、背側にさらに背側流体袋２を設けるとともに、座側流体袋１と、背側流体袋２とを連通する背座連通流路３３をさらに設けることにより、座面ｓｓ上の使用者の動作による流体の動作を利用して使用者の背凭れＢをも含めた座り心地を、より向上させ得るものとなっている。
【００４７】
＜変形例１＞
続いて、本実施形態の変形例について詳述していく。また、以下の各変形例において、上記実施形態と同様の構成要素については、同様の符合を付するとともに詳細な説明を省略するものとする。
【００４８】
同変形例は、図６及び図７（ａ）、（ｂ）、（ｃ）に示すように、上記実施形態の要に座面ｓｓの一部を突没させることにより座面ｓｓを変形させるものとは異なり、伸縮部材たるエアコラムａｃを採用した座側流体袋１とし、当該座面ｓｓ又は背凭れ面ｂｓの略全部を昇降させる態様すなわち傾斜させる態様を実現したものである。
【００４９】
具体的には、エアコラムａｃを座板Ｓ１１の４隅を含む下方にそれぞれ複数配置し、座側流路３１を介した流体の移動に伴いそれぞれ上下方向に伸縮させることにより、座面ｓｓ全体を昇降並びに傾斜させ得るものとなっている。なお同変形例においても、吸入ポンプを配した外部連通部５を設けた構成としてもよい。
【００５０】
＜変形例２＞
また、流体袋によって座本体Ｓ１又は背凭れ本体Ｂ１を構成する具体的な一例として、図８、図９、図１０、図１１及び図１２に示すような態様を挙げることができる。
【００５１】
同図は、例えば座側流体袋１ａに当該座側流体袋１ａの形状を所定形状に復帰させ得る形状復帰手段としてのウレタンシェルＢ１ａを座面ｓｓの下方に配置し、座側流体袋１ａを所定形状に保持すべく適用した態様を示している。そして当該座側流体袋１ａは、上記実施形態同様の流体制御弁４及び外部連通部５を設けるとともに、一例として背座連通流路３３を介して図示しない背側流体袋２へ連通するものとしている。本変形例において、座側流体袋１ａは、底部で各々連通した直方体形状のセル１０ａを形成したものとしている。一方ウレタンシェルＢ１ａは、セル１０ａの形状に対応させた格子穴Ｂ１０ａを有したものとしている。そして、図９に示すように、セル１０ａに対して格子穴Ｂ１０ａを嵌め合わせて、セル１０ａの表面を格子穴Ｂ１０ａの内面に例えば接着することによって、座本体Ｓ１の一部を構成したものとしている。このように座側流体袋１ａ複数のセル１０ａに分割して、ウレタンシェルＢ１ａの格子穴Ｂ１０ａにより位置決めを行なうことにより、上記実施形態のように単一の流体袋を採用した場合と比べて、形状を安定させるとともに着座時の安定感を出し得るものとなっている。また、本変形例において流体袋には、吸入ポンプ５３を有する外部連通部５を設けたものとしている。
【００５２】
斯かる構成により図１０に示すように、例えば流体制御弁４を制御して背側流体袋２へ連通させた場合、座面を着座動作により押圧されると座側流体袋１ａ及びウレタンシェルＢ１ａがともに圧縮される。そうなるとセル１０ａ内の流体すなわち空気が背座連通流路３３を介して背側流体袋２へ移動する。
【００５３】
そして図１１に示すように、着座者の立ち上がり動作などによって座本体１に荷重が掛かった状態から解除されると、ウレタンシェルＢ１ａ自体がその形状をもとの形状に復帰させる為、格子穴Ｂ１０ａの内面形状の復帰に応じてセル１０ａの形状も復帰して膨張する。このとき座側流体袋１ａの内圧が一時的に低下することとなり、背座連通流路３３、流体制御弁４を介して背側流体袋から空気が入ることとなる。そしてウレタンシェルＢ１ａの形状が完全に復帰するときにはセル１０ａにも所要量の空気が入ることとなり、座本体Ｓ１の形状はもとの形状に復帰する。
【００５４】
斯かる一連の動作は外部連通部５に設けた図示しないバルブを開放することによって座側流体袋１ａの内部を外側に連通させた場合においても同様に起こるものである。一方、何らかの理由で座側流体袋１ａ内の空気量が少なくなった際には、同様に外部連通部５によって流体袋の内外を連通させることにより、上述同様にウレタンシェルＢ１ａがもとの形状に戻す為、座本体Ｓ１の形状は好適に復帰することとなる。そのため、座Ｓの継続的な使用に際しても安定して形状を保持し得るものとなっている。
【００５５】
他方、図１２に示すように、吸入ポンプ５３によって、座本体を硬めに構成して弾性反発力を高めることも可能である。すなわち、吸入ポンプ５３によって外部の空気が座側流体袋１ａ内に入ると、座側流体袋１ａにおいて個々のセル１０ａが内圧を高めつつ膨張する。そしてウレタンシェルＢ１ａは膨張したセル１０ａに格子穴Ｂ１０ａの内面側から圧縮されることによって密度が上昇する。そうすることにより、座側流体袋１ａの内圧の上昇とウレタンシェルの密度の上昇が併せて起こることにより、座Ｓの硬さ並びに弾性反発力を高め得るものとなっている。
【００５６】
また同変形例では上述の通り、一例として単一の座側流体袋１ａを例に挙げ、背座連通流路３３を介して図示しない背側流体袋２へ連通するものとしているが。座側流体袋１ａを複数構成して、座側連通流路３１を介して各座側流体袋１ａ間に適用するものとしてもよい。
【００５７】
また、図１３（ａ）、（ｂ）、（ｃ）及び（ｄ）に示すように、例えば座側流体袋１ｂ自体を、所謂ジェルなどの、弾性を有する素材を用いて構成することにより、座側流体袋１ｂ自体を形状復帰手段として構成しても良い。すなわち、同図（ａ）、（ｂ）に示すように、内部に流体を収容し得る各々連通した複数の流体収容部１０ｂを設けたものとしているそして、この変形例においても流体袋に、吸入ポンプ５３を有する外部連通部５を設けたものとしている。
【００５８】
斯かる構成により、同図（ｃ）に示すように座側流体袋１ｂの所定箇所に荷重が掛かった場合、個々の流体収容部間１０ｂを流体が移動することにより、圧力が分散された状態となり、座側流体袋１ｂが均一に荷重を受け得るものとなっている。また、同図（ｄ）に示すように、外部連通部５における吸入ポンプ５３によって、座側流体袋１０ｂを硬くして弾性反発力を高めることも可能である。すなわち、吸入ポンプ５３によって外部の空気が流体袋内に入ると、個々の流体収容部１０ｂが内圧を高めつつ膨張する。そうすることにより、硬さ並びに弾性反発力を高め得るものとなっている。
【００５９】
＜変形例３＞
また、図１４及び図１５に示すように、座側流体袋１の構成として、上記実施形態に示した前部流体袋１１と後部流体袋１２に加え、着座者の尾てい骨を斜め下方から押圧支持する後端部流体袋１７を有するものとしても良い。
【００６０】
斯かる構成により、着座者は座Ｓの後端部から尾てい骨を押圧支持されることによって、座側流体袋１は、特に骨盤を、より安定して支持し得るものとなっている。図１４は、上記実施形態に係る前部流体袋１１に適用した構成として、後端部流体袋１７と、座側流路３１ａとを図示しており、図１５は、図６に係るエアコラムａｃを適用した態様に後端部流体袋を適用したものとしている。
【００６１】
以上、本発明の実施形態について説明したが、各部の具体的な構成は、上述した実施形態のみに限定されるものではなく、本発明の趣旨を逸脱しない範囲で種々変形が可能である。
【００６２】
例えば、上記実施形態では、座面の一部を突没させる態様と、座面全体を傾斜させる態様とをそれぞれ記載したが、これらの態様を併用したものとしてもよい。すなわち、同一の座面において、流体袋の収縮により突没する箇所と、伸縮部材の伸縮によって座板を傾斜させ得る箇所とを設けたものとしてもよい。
【００６３】
その他、各部の具体的構成についても上記実施形態に限られるものではなく、本発明の趣旨を逸脱しない範囲で種々変形が可能である。
【図面の簡単な説明】
【００６４】
【図１】本発明の一実施形態に係る外観図。
【図２】同実施形態に係る構成説明図。
【図３】同実施形態に係る模式的な構成説明図。
【図４】同上。
【図５】同上。
【図６】同実施形態の変形例１に係る構成説明図。
【図７】同作用説明図。
【図８】同実施形態の変形例２に係る構成説明図。
【図９】同上。
【図１０】同実施形態の変形例２に係る作用説明図。
【図１１】同上。
【図１２】同上。
【図１３】同変形例２に係る他の構成説明図。
【図１４】同実施形態の変形例３に係る構成説明図。
【図１５】同変形例３に係る他の構成説明図。
【符号の説明】
【００６５】
ｓｓ…座面
１…流体袋（座側流体袋）
２…背側流体袋
３１…流路（座側流路）
３１３…前後間流路（右流路）
３１４…前後間流路（左流路）
３１１…左右間流路（前側流路）
３１２…左右間流路（後側流路）
３３…背座連通流路
４…流体制御弁
５…外部連通部
５３…吸入ポンプ
ａｃ…伸縮部材（エアコラム）
Ｂ１ａ…形状復帰手段（ウレタンシェル）
Ａ…椅子
Ｓ…座
【図１】
0005124797.tif 000002
【図２】
0005124797.tif 000003
【図３】
0005124797.tif 000004
【図４】
0005124797.tif 000005
【図５】
0005124797.tif 000006
【図６】
0005124797.tif 000007
【図７】
0005124797.tif 000008
【図８】
0005124797.tif 000009
【図９】
0005124797.tif 000010
【図１０】
0005124797.tif 000011
【図１１】
0005124797.tif 000012
【図１２】
0005124797.tif 000013
【図１３】
0005124797.tif 000014
【図１４】
0005124797.tif 000015
【図１５】
0005124797.tif 000016